(57)【要約】【課題】端子に接続された電線が細い場合であっても、端子をハウジングの端子収容部の正規挿入位置まで挿入可能なコネクタを提供すること。【解決手段】コネクタ１は、電線Ｗに接続された端子１０と、端子１０を収容する端子収容部を有する板状のハウジング２０であって、端子収容部の前方側部分の上方を塞ぐ天壁部２３を備え、端子収容部の後方側部分の上方が開放されたハウジング２０と、ハウジング２０に組み付けられて、端子収容部の後方側部分の上方を塞ぐ平板状のカバー３０とを備える。カバー３０の前端部の下面には、下方に突出する突起部３４であって、カバー３０のハウジング２０への組み付け時、１次係止位置にある端子１０の所定箇所を前方へ押圧して端子１０を正規挿入位置まで移動可能な突起部３４が設けられている。【選択図】図３５
2020071956.tif 000002
【特許請求の範囲】
【請求項１】
電線に接続された端子と、
前記端子を収容する端子収容部を有する板状のハウジングであって、前記端子収容部の前方側部分の上方を塞ぐ天壁部を備え、前記端子収容部の後方側部分の上方が開放されたハウジングと、
前記ハウジングに組み付けられて、前記端子収容部の前記後方側部分の上方を塞ぐ平板状のカバーと、
を備え、
前記カバーの前端部の下面には、下方に突出する突起部であって、前記カバーの前記ハウジングへの組み付け時、１次係止位置にある前記端子の所定箇所を前方へ押圧して前記端子を正規挿入位置まで移動可能な突起部が設けられている、コネクタ。
【請求項２】
請求項１に記載のコネクタにおいて、
前記カバーは、
前記カバーの後方側が前方側より前記ハウジングから離れる向きに傾斜した状態を維持しながら、前記カバーの前端縁が前記天壁部の後端縁の下側に進入するまで、前記突起部の押圧によって前記端子を前方へ移動させながら前記カバーを前記ハウジングに対して前方側へ移動させた後、前記カバーの後方側を前記ハウジングに近づけることによって、前記ハウジングに組み付けられるように構成された、コネクタ。
【請求項３】
請求項１又は請求項２に記載のコネクタにおいて、
前記カバーは、
前記端子が１次係止位置にある状態では、前記突起部が前記端子と干渉することによって、前記カバーの前方側が後方側より前記ハウジングから離れる向きに傾斜した状態で、前記ハウジングに組み付け可能に構成された、コネクタ。
【発明の詳細な説明】
【技術分野】
【０００１】
本発明は、コネクタに関する。
【背景技術】
【０００２】
従来から、電線に接続された端子と、電線に接続された端子を収容する端子収容部を有するハウジングと、を備えたコネクタが広く知られている（例えば、特許文献１を参照）。この種のコネクタでは、通常、端子を電線に圧着固定し、端子が固定された電線を把持しながら、ハウジングの後方端から端子を端子収容部に挿入することで、電線に接続された端子が、端子収容部の正規挿入位置に収容される。
【先行技術文献】
【特許文献】
【０００３】
【特許文献１】特開平４−９５３６９号公報
【発明の概要】
【発明が解決しようとする課題】
【０００４】
近年、コネクタの小型化の要求に伴い、端子が小型化され、電線も細径化してきている。電線が細い場合、端子が固定された電線を把持して、ハウジングの後方端から端子を挿入する際、電線に座屈が発生し易い。電線に座屈が発生すると、端子を端子収容部の正規挿入位置まで挿入することが困難となる。
【０００５】
本発明は、上述した事情に鑑みてなされたものであり、その目的は、端子に接続された電線が細い場合であっても、端子をハウジングの端子収容部の正規挿入位置まで挿入可能なコネクタを提供することにある。
【課題を解決するための手段】
【０００６】
前述した目的を達成するために、本発明に係るコネクタは、下記（１）〜（３）を特徴としている。
（１）
電線に接続された端子と、
前記端子を収容する端子収容部を有する板状のハウジングであって、前記端子収容部の前方側部分の上方を塞ぐ天壁部を備え、前記端子収容部の後方側部分の上方が開放されたハウジングと、
前記ハウジングに組み付けられて、前記端子収容部の前記後方側部分の上方を塞ぐ平板状のカバーと、
を備え、
前記カバーの前端部の下面には、下方に突出する突起部であって、前記カバーの前記ハウジングへの組み付け時、１次係止位置にある前記端子の所定箇所を前方へ押圧して前記端子を正規挿入位置まで移動可能な突起部が設けられている、コネクタであること。
（２）
上記（１）に記載のコネクタにおいて、
前記カバーは、
前記カバーの後方側が前方側より前記ハウジングから離れる向きに傾斜した状態を維持しながら、前記カバーの前端縁が前記天壁部の後端縁の下側に進入するまで、前記突起部の押圧によって前記端子を前方へ移動させながら前記カバーを前記ハウジングに対して前方側へ移動させた後、前記カバーの後方側を前記ハウジングに近づけることによって、前記ハウジングに組み付けられるように構成された、コネクタであること。
（３）
上記（１）又は上記（２）に記載のコネクタにおいて、
前記カバーは、
前記端子が１次係止位置にある状態では、前記突起部が前記端子と干渉することによって、前記カバーの前方側が後方側より前記ハウジングから離れる向きに傾斜した状態で、前記ハウジングに組み付け可能に構成された、コネクタであること。
【０００７】
上記（１）の構成のコネクタによれば、ハウジングの端子収容部の後方側部分の上方が開放されているので、端子を把持しながら、端子を、端子収容部における正規挿入位置近傍の１次係止位置まで容易に挿入することができる。この状態で、カバーがハウジングに組み付けられる。この組み付け過程において、カバーをハウジングに対して前方側へ移動させる際、カバーに設けられた突起部によって１次係止位置にある端子が前方へ押圧されることで、端子を正規挿入位置まで移動させることができる。
【０００８】
以上より、端子に接続された電線が細い場合であっても、端子を正規挿入位置まで確実に挿入することができる。更には、仮に、端子が１次係止位置にある状態でカバーがハウジングに組み付けられた場合であっても、カバーをハウジングから取り外し、カバーの突起部によって端子を前方へ押圧しながらカバーをハウジングに再び組み付けることで、１次係止位置にあった端子を正規挿入位置まで確実に挿入することができる。
【０００９】
上記（２）の構成のコネクタによれば、ハウジングに対して前方へ移動するカバーの前端縁がハウジングの天壁部の後端縁の下側に進入する段階で、端子が（ほぼ）正規挿入位置に到達するように各部品の形状を設計することによって、傾斜した状態にあるカバーの突起部によって端子を（ほぼ）正規挿入位置まで挿入した後、カバーの先端側を支点にしてカバーを回動させることで、カバーをハウジングに組み付けることができる。また、端子を正規挿入位置に到達させることができる。
【００１０】
上記（３）の構成のコネクタによれば、端子が１次係止位置にある状態では、カバーの前方側が後方側よりハウジングから離れる向きに傾斜した状態で、カバーがハウジングに組み付けられる。従って、カバーがハウジングに対して傾斜しない態様と比べて、カバーの前方側のハウジングからの浮量（上下方向の浮き高さ）を大きくすることができる。従って、チェッカ・フィクスチャ等を用いて前記浮量を計測することで、カバーが適正に組み付けられていないことや、端子の中途挿入を検知する場合において、その検知精度を向上させることができる。更には、コネクタの小型化の要求に伴い、端子及びハウジングが小型化されていても、端子の中途挿入を確実に検知することができるようにもなる。
【発明の効果】
【００１１】
本発明によれば、端子に接続された電線が細い場合であっても、端子をハウジングの端子収容部の正規挿入位置まで挿入可能なコネクタを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本実施形態に係るコネクタの斜視図である。
【図２】図２は、図１に示すコネクタの分解斜視図である。
【図３】図３は、図２に示す第１の端子の斜視図である。
【図４】図４は、図２に示す第２の端子の斜視図である。
【図５】図５は、第２の端子の作製に供される板状金属部材である。
【図６】図６は、図２に示すハウジングの斜視図である。
【図７】図７は、ハウジングの正面図である。
【図８】図８は、図７のＡ−Ａ線の断面図である。
【図９】図９は、ハウジングを後方側からみた斜視図である。
【図１０】図１０は、図９の枠内を拡大した図である。
【図１１】図１１は、端子が１次係止位置にあるハウジングにおける、図８に対応する断面図である。
【図１２】図１２は、図１１の枠内を拡大した図である。
【図１３】図１３は、図２に示す上カバーの斜視図である。
【図１４】図１４は、裏返した上カバーの斜視図である。
【図１５】図１５は、図１４の枠内を拡大した図である。
【図１６】図１６は、図２に示す下カバーの斜視図である。
【図１７】図１７は、裏返した下カバーの斜視図である。
【図１８】図１８は、図１６の枠内を拡大した図である。
【図１９】図１９は、図１に示すコネクタの正面図である。
【図２０】図２０は、図１９のＢ−Ｂ線の断面図である。
【図２１】図２１は、図２０の枠内を拡大した図である。
【図２２】図２２は、下カバー側における、図２１に対応する図である。
【図２３】図２３は、コネクタの組み付け手順を説明するための第１の図である。
【図２４】図２４は、コネクタの組み付け手順を説明するための第２の図である。
【図２５】図２５は、コネクタの組み付け手順を説明するための第３の図である。
【図２６】図２６は、コネクタの組み付け手順を説明するための第４の図である。
【図２７】図２７は、コネクタの組み付け手順を説明するための第５の図である。
【図２８】図２８は、コネクタの組み付け手順を説明するための第６の図である。
【図２９】図２９は、コネクタの組み付け手順を説明するための第７の図である。
【図３０】図３０は、コネクタの組み付け手順を説明するための第８の図である。
【図３１】図３１は、端子が１次係止位置にあるハウジングにおける、図８に対応する断面図である。
【図３２】図３２は、図３１の枠内を拡大した図である。
【図３３】図３３は、図３０に示す組み付け段階を詳細に説明するための第１の図である。
【図３４】図３４は、図３０に示す組み付け段階を詳細に説明するための第２の図である。
【図３５】図３５は、図３０に示す組み付け段階を詳細に説明するための第３の図である。
【図３６】図３６は、端子が１次係止位置にある状態で上カバーがハウジングに組み付けた状態における、図３１に対応する図である。
【図３７】図３７は、図３６の枠内を拡大した図である。
【図３８】図３８は、本実施形態の変形例に係るコネクタの分解斜視図である。
【発明を実施するための形態】
【００１４】
＜実施形態＞
以下、図面を参照しながら、本発明の実施形態に係るコネクタ１について説明する。以下、説明の便宜上、コネクタ１の軸方向（嵌合方向）において、相手側端子（図示省略）が嵌合する側（図１において左側）を前方側とし、その反対側（図１において右側）を後方側と呼ぶ。また、図１において上側及び下側をそれぞれ、上側及び下側と呼ぶ。
【００１５】
図２に示すように、コネクタ１は、端子１０と、ハウジング２０と、カバー３０と、を含んで構成される。以下、コネクタ１を構成する各部品について順に説明していく。
【００１６】
先ず、図３〜図５を参照しながら、端子１０について説明する。端子１０として、本例では、図３に示す端子１０Ａと、図４に示す端子１０Ｂと、が使用される。端子１０Ａ，１０Ｂは共に、板状金属部材にプレス加工・曲げ加工等を施すことで形成された雌端子であり、相手側端子（雄端子、図示省略）が嵌合する接続部１１と、接続部１１の後方側に連続し電線Ｗの導体芯線を固定する導体固定部１２と、導体固定部１２の後方側に連続し電線Ｗの被覆を固定する被覆固定部１３と、を備える。
【００１７】
端子１０Ａ，１０Ｂの接続部１１は、角筒状の形状を有しており、その上面の幅方向一側の前後方向両端部には、上方に突出する一対の突出部１４が形成されている。一対の突出部１４のうち特に前方側の突出部１４は、後述するように、ハウジング２０のランス２６（図８参照）と係合して、端子１０Ａ，１０Ｂの抜け止め機能を果たす。
【００１８】
端子１０Ａの導体固定部１２には、図３に示すように、一対の圧接刃１５が形成されている。これらの圧接刃１５に電線Ｗの導体芯線を圧接することで、導体芯線が導体固定部１２に固定されると共に電気的に接続される。一方、端子１０Ｂの導体固定部１２には、図４に示すように、一対の加締め片１５が形成されている。これらの加締め片１５により電線の導体芯線を圧着することで、導体芯線が導体固定部１２に固定されると共に電気的に接続される。端子１０Ａ，１０Ｂの被覆固定部１３には、一対の加締め片１６が形成されている。これらの加締め片１６により電線Ｗの被覆を圧着することで、電線Ｗが被覆固定部１３に固定される。
【００１９】
端子１０Ｂは、図５に示す板状金属部材にプレス加工・曲げ加工等を施すことで形成されている。なお、接続部１１は、模式的に示されている。図５から理解できるように、端子１０Ｂの導体固定部１２には、板厚方向に貫通する複数の貫通孔１７が形成されている。このように貫通孔１７を設けることで、導体固定部１２に導体芯線を圧着した場合に、圧着時の圧力で、導体芯線が、各貫通孔１７に入り込んで貫通孔１７の内壁面に密着し得る。この結果、導体芯線が導体固定部１２に強固に固定され得る。更に、導体芯線と導体固定部１２との接触面積が増大するので、両者間の接触抵抗が小さくなる。
【００２０】
次に、図６〜図１２を参照しながら、ハウジング２０について説明する。特に、図６及び図９に示すように、ハウジング２０は、矩形平板状のハウジング本体２１を備える。ハウジング本体２１の上下面それぞれには、複数の端子１０を収容するための複数の端子収容部が形成されている。ハウジング本体２１の上面側及び下面側の構成は、若干の相違はあるものの、大略的には同様であるので、以下、ハウジング本体２１の上面側の構成についてのみ説明する。
【００２１】
ハウジング本体２１の上面には、幅方向に間隔を空けて前後方向に延びる複数の立壁２２が一体に形成されている。各立壁２２は、幅方向に隣接する２つの端子収容部を仕切る機能を果たす。即ち、ハウジング本体２１の上面には、複数の立壁２２により仕切られた複数の端子収容部が幅方向に並ぶように形成されている。
【００２２】
ハウジング本体２１の前方側部分には、端子収容部の上方を塞ぐように天壁部２３が一体に形成されている。即ち、端子収容部の前方側部分は、天壁部２３により上方が塞がれた筒状の形状を有し、端子収容部の後方側部分は、その上方が開放されている。各端子収容部の前方側端には開口２４が形成されている（図６〜図８参照）。この開口２４を介して、相手側端子（雄端子）がハウジング本体２１の端子収容部に挿入されることになる。
【００２３】
図８に示すように、天壁部２３の後端縁には、後方且つ下方を向くように傾斜するテーパ面２５が形成されている。テーパ面２５は、後述するように、ハウジング２０に上カバー３０Ａを組み付ける際に利用されることになる（図２１参照）。天壁部２３の前後方向中央部の下面には、各端子収容部内に向けて下方に突出するランス２６が一体に形成されている。
【００２４】
上述のように、ハウジング本体２１では、各端子収容部の後方側部分の上方が開放されている。このため、端子１０を把持しながら、図９及び図１０に示すように、端子１０を端子収容部の後方側部分に載置して前方を押し込むことで、端子１０を、端子収容部の前方側部分（筒状の部分）における正規挿入位置近傍の１次係止位置（中途挿入位置）まで容易に挿入することができる（図１１及び図１２参照）。
【００２５】
端子１０が、図１１及び図１２に示す１次係止位置まで挿入される過程において、ランス２６は、端子１０の前方側の突出部１４に当接することで弾性変形を伴いながら当該突出部１４に乗り上げ、その後、当該突出部１４が通り過ぎることで、初期位置に弾性復帰する。この結果、図１２に示すように、当該突出部１４がランス２６と係合することで、端子１０のハウジング２０からの抜け止め機能が発揮される。
【００２６】
次に、図１３〜図２２を参照しながら、カバー３０について説明する。カバー３０として、本例では、上カバー３０Ａと、下カバー３０Ｂが使用される（図２参照）。上カバー３０Ａは、ハウジング本体２１の上面側に組み付けられて、上面側の端子収容部の後方側部分の上方を塞ぐ機能を有し、下カバー３０Ｂは、ハウジング本体２１の下面側に組み付けられて、下面側の端子収容部の後方側部分の下方を塞ぐ機能を有する。
【００２７】
先ず、図１３〜図１５を参照しながら、上カバー３０Ａについて説明する。図１３は、ハウジング本体２１への組み付け時の向きの上カバー３０Ａを示し、図１４は、裏返した上カバー３０Ａを示す。
【００２８】
上カバー３０Ａは、平板状のカバー本体３１を備える。カバー本体３１の前方側部分の下面には、ハウジング本体２１の立壁２２に対応して、幅方向に間隔を空けて前後方向に延びる複数の立壁３２が一体に形成されている。これにより、上カバー３０Ａのハウジング２０への組み付け状態では、ハウジング本体２１の端子収容部の後方側部分の上方が上カバー３０Ａにより塞がれて、端子収容部の前方側部分及び後方側部分において、前後方向に連続する筒状の形状を有する端子収容部が構成される。
【００２９】
上カバー３０Ａのカバー本体３１の前端縁には、前方且つ上方を向くように傾斜するテーパ面３３が形成されている。テーパ面３３は、後述するように、ハウジング２０に上カバー３０Ａを組み付ける際に利用されることになる（図２１参照）。
【００３０】
上カバー３０Ａのカバー本体３１の前端部の下面には、図１５に示すように、下方に突出する複数の突起部３４が、幅方向における複数の端子収容部の位置（隣接する立壁３２の間の位置）に一体で形成されている。突起部３４は、後述するように、上カバー３０Ａのハウジング２０への組み付け時、１次係止位置にある端子１０を前方へ押圧して端子１０を正規挿入位置まで移動させる機能を有する。
【００３１】
上カバー３０Ａのカバー本体３１の後方側部分は、上カバー３０Ａのハウジング２０への組み付け状態では、ハウジング２０の後端面から後方側へ突出することになる。カバー本体３１の後方側部分３７は、下カバー３０Ｂのカバー本体３１の後方側部分３７（図１６及び図１７参照）との協働により、複数の端子収容部に収容された複数の端子１０から後方側に延びる複数の電線Ｗを収容して保護する所謂コネクタカバーとして機能する。
【００３２】
上カバー３０Ａのカバー本体３１の幅方向両端部の複数箇所（本例では、４箇所）には、ハウジング２０への組み付け時において、下カバー３０Ｂの係合部３６（図１６及び図１７参照）とそれぞれ係合する係合部３５が一体で形成されている（図２０参照）。
【００３３】
次に、図１６〜図１８を参照しながら、下カバー３０Ｂについて説明する。図１６は、ハウジング本体２１への組み付け時の向きの下カバー３０Ｂを示し、図１７は、裏返した下カバー３０Ｂを示す。上カバー３０Ａ及び下カバー３０Ｂの構成は、上下方向に対称であることを除き、若干の相違はあるものの、大略的には同様である。従って、下カバー３０Ｂについては、上カバー３０Ａの各構成に対応する構成に対して上カバー３０Ａと同じ符号を付すことで、それらの説明に代える。
【００３４】
なお、下カバー３０Ｂについては、図１６及び図１７に示すように、コネクタカバーとして機能する後方側部分３７の更に後方側（後方側端部）に、電線保持部３８が一体で形成されている。電線保持部３８は、ハウジング２０から後方側に延びる複数の電線Ｗを束ねて保持するために使用される部位である。ハウジング２０から後方側に延びる複数の電線Ｗは、タイバンド等を利用して束ねた状態で電線保持部３８に保持されることになる。
【００３５】
図１９〜図２２に示すように、上カバー３０Ａ及び下カバー３０Ｂがハウジング２０に組み付けられた状態では、上カバー３０Ａの前端縁のテーパ面３３がハウジング２０の上面側の天壁部２３の後端縁のテーパ面２５の下側に進入した状態で、上カバー３０Ａの前端縁とハウジング２０の上面側の天壁部２３の後端縁とが係止されている（図２１参照）。下カバー３０Ｂの前端縁のテーパ面３３がハウジング２０の下面側の天壁部２３の後端縁のテーパ面２５の上側に進入した状態で、下カバー３０Ｂの前端縁とハウジング２０の下面側の天壁部２３の後端縁とが係止されている（図２２参照）。更に、上カバー３０Ａの複数の係合部３５と下カバー３０Ｂの複数の係合部３６とが互いに係止されている（図２０参照）。これらの協働により、上カバー３０Ａ及び下カバー３０Ｂそれぞれがハウジング２０に対して相対移動不能に組み付けられ、且つ、上カバー３０Ａ及び下カバー３０Ｂ同士も相対移動不能に組み付けられる。
【００３６】
次に、図２３〜図３５を参照しながら、コネクタ１の組み付け手順について説明する。先ず、図２３に示すように、裏返した状態にあるハウジング２０の上面側（正規の向きでは下面側）の所定の端子収容部における上方が開放された後方側部分に、所定の装置を利用して、端子１０Ａをそれぞれ配置し、上述した図１１及び図１２に示した１次係止位置まで端子１０Ａの所定箇所（典型的には、角筒状の接続部１１の後端面）を前方に押し込む。これにより、端子１０Ａの突出部１４がハウジング２０のランス２６と係合することで、端子収容部に挿入された端子１０Ａのハウジング２０からの抜けが防止される状態が得られる。
【００３７】
次に、図２４に示すように、所定の装置を利用して、端子収容部に挿入された各端子１０Ａに電線Ｗをそれぞれ接続する。具体的には、端子１０Ａの一対の圧接刃１５に電線Ｗの導体芯線が圧接され、端子１０Ａの一対の加締め片１６により電線Ｗの被覆が圧着される。
【００３８】
次に、図２５に示すように、ハウジング２０を裏返す。これにより、ハウジング２０の向きが正規の向きとなる。この状態で、上述した図２３及び図２４に示した手順と同様、図２６及び図２７に示すように、ハウジング２０の上面側の所定の端子収容部に、端子１０Ａを１次係止位置までそれぞれ挿入し、挿入された各端子１０Ａに電線Ｗをそれぞれ接続する。
【００３９】
次に、図２８に示すように、未だ端子１０Ａが挿入されていないハウジング２０の上面側又は下面側の所定の端子収容部に、電線Ｗが予め接続された状態にある端子１０Ｂを、所定の装置を利用して、１次係止位置までそれぞれ挿入する。なお、この作業は、作業者による手作業で行われてもよい。
【００４０】
次に、図２９に示すように、下カバー３０Ｂをハウジング２０に組み付け、次いで、図３０に示すように、上カバー３０Ａをハウジング２０に組み付ける。上カバー３０Ａ及び下カバー３０Ｂのハウジング２０への組み付け手順は、上下方向に対称であることを除き、大略的には同様である。従って、以下、図３１〜図３５を参照しながら、上カバー３０Ａのハウジング２０への組み付け手順のみについて説明する。
【００４１】
図３１及び図３２に示すように、端子収容部に挿入された端子１０が１次係止位置にある状態にて、先ず、図３３に示すように、上カバー３０Ａの後方側が前方側より上方に傾斜した状態を維持しながら、上カバー３０Ａ（カバー本体３１）の前端縁を、ハウジング２０の天壁部２３の後端縁に向けて近づけ、図３４に示すように、上カバー３０Ａの突起部３４を端子１０の接続部１１の後端に当接させる。
【００４２】
次に、この状態（即ち、上カバー３０Ａが傾斜した状態、且つ、突起部３４が端子１０の接続部１１に当接した状態を維持しながら、上カバー３０Ａの前端縁のテーパ面３３が天壁部２３の後端縁のテーパ面２５の下側に進入するまで（上カバー３０Ａの前端縁と天壁部２３の後端縁とが係合するまで）、上カバー３０Ａをハウジング２０に対して前方側に平行移動させる。このとき、突起部３４の押圧によって端子１０は、上カバー３０Ａの前方側への移動に伴って、１次係止位置から正規挿入位置まで移動する。
【００４３】
次に、上カバー３０Ａの前端縁と天壁部２３の後端縁とが係合した状態を維持しながら、傾斜した状態にある上カバー３０Ａを、上カバー３０Ａの先端側を支点にして、図３５に示すように、上カバー３０Ａの後方側がハウジング２０に近づく向きに回動させる。これにより、上カバー３０Ａの複数の係合部３５と下カバー３０Ｂの複数の係合部３６とが互いに係止されることで、上述した図２０に示すように、ハウジング２０に対して上カバー３０Ａ及び下カバー３０Ｂが組み付けられた状態が得られる。そして、最後に、ハウジング２０から後方側に延びる複数の電線Ｗを、タイバンド等を利用して束ねた状態で電線保持部３８に保持する。これにより、コネクタ１の組み付けが完了する。
【００４４】
図３５に示すように、上カバー３０Ａがハウジング２０に対して組み付けられた状態では、上カバー３０Ａの突起部３４が端子１０の接続部１１の後端面に対面接触、或いは、近接している。このため、端子１０のハウジング２０からの抜け止め機能が発揮される。即ち、端子１０の突出部１４とランス２６と係合に加えて、端子１０の接続部１１と突起部３４との係合により、所謂２重係止の状態が得られる。
【００４５】
なお、上カバー３０Ａは、上述のように、傾斜した状態にある上カバー３０Ａを、上カバー３０Ａの先端側を支点にして回動させることによってのみ、正規の状態でハウジング２０に組み付くように設計されている。仮に、上カバー３０Ａを、ハウジング２０に対して平行に維持した状態で、上方から下方に向けて平行移動させてハウジング２０に組み付けようとしても、上カバー３０Ａの前端縁と天壁部２３の後端縁とが干渉することで、組み付けることができない。
【００４６】
以上、本発明の実施形態に係るコネクタ１によれば、ハウジング２０の端子収容部の後方側部分の上方が開放されているので、端子１０を把持しながら、端子１０を、端子収容部における正規挿入位置近傍の１次係止位置まで容易に挿入することができる。この状態で、カバー３０がハウジング２０に組み付けられる。この組み付け過程において、カバー３０をハウジング２０に対して前方側へ移動させる際、カバー３０に設けられた突起部３４によって１次係止位置にある端子１０が前方へ押圧されることで、端子１０を正規挿入位置まで移動させることができる。
【００４７】
以上より、端子１０に接続された電線Ｗが細い場合であっても、端子１０を正規挿入位置まで確実に挿入することができる。更には、仮に、端子１０が１次係止位置にある状態でカバー３０がハウジング２０に組み付けられた場合であっても、カバー３０をハウジング２０から取り外し、カバー３０の突起部３４によって端子１０を前方へ押圧しながらカバー３０をハウジング２０に再び組み付けることで、１次係止位置にあった端子１０を正規挿入位置まで確実に挿入することができる。
【００４８】
更に、ハウジング２０に対して前方へ移動するカバー３０の前端縁がハウジング２０の天壁部２３の後端縁の下側に進入する段階で、端子１０が（ほぼ）正規挿入位置に到達するように各部品の形状を設計されている。これにより、傾斜した状態にあるカバー３０の突起部３４によって端子１０を（ほぼ）正規挿入位置まで挿入した後、カバー３０の先端側を支点にしてカバー３０を回動させることで、カバー３０をハウジング２０に組み付けることができる。また、端子を正規挿入位置に到達させることができる。また、端子１０を正規挿入位置に到達させることができる。
【００４９】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
上記実施形態では、図３６及び図３７に示すように、端子１０が１次係止位置にある状態にて、カバー３０の突起部３４が端子１０（より具体的には、接続部１１）と干渉することによって、カバー３０の前方側が後方側よりハウジング２０から離れる向きに傾斜した状態（具体的には、上カバー３０Ａの前端縁と天壁部２３の後端縁とが係合せず、且つ、上カバー３０Ａの複数の係合部３５と下カバー３０Ｂの複数の係合部３６とが互いに係止された状態）で、ハウジング２０に組み付けられてしまう場合が想定される（組み付け可能になっている）。
【００５１】
これによれば、端子１０が１次係止位置にある状態において、カバー３０がハウジング２０に対して平行に組み付けられ得る（傾斜しない）態様と比べて、カバー３０の前方側のハウジングからの浮量Ｈ（上下方向の浮き高さ、図３７参照）を大きくすることができる。従って、チェッカ・フィクスチャ等を用いて浮量Ｈを計測することで、カバー３０が適正に組み付けられていないことや端子１０の中途挿入を検知する場合において、その検知精度を向上させることができる。更には、コネクタ１の小型化の要求に伴い、端子１０及びハウジング２０が小型化されていても、端子１０の中途挿入を確実に検知することができるようにもなる。
【００５２】
更に、上記実施形態では、ハウジング２０に組み付けられるカバー３０の後方側部分に、コネクタカバーとして機能する後方側部分３７及び電線保持部３８が一体で設けられている。これに対し、図３８に示すように、カバー３０とは別に、上記実施形態における後方側部分３７及び電線保持部３８に相当する部分が一体で構成されたコネクタカバー４０が設けられていてもよい。
【００５３】
ここで、上述した本発明に係るコネクタ１の実施形態の特徴をそれぞれ以下［１］〜［３］に簡潔に纏めて列記する。
［１］
電線（Ｗ）に接続された端子（１０）と、
前記端子（１０）を収容する端子収容部を有する板状のハウジング（２０）であって、前記端子収容部の前方側部分の上方を塞ぐ天壁部（２３）を備え、前記端子収容部の後方側部分の上方が開放されたハウジング（２０）と、
前記ハウジング（２０）に組み付けられて、前記端子収容部の前記後方側部分の上方を塞ぐ平板状のカバー（３０）と、
を備え、
前記カバー（３０）の前端部の下面には、下方に突出する突起部（３４）であって、前記カバー（３０）の前記ハウジング（２０）への組み付け時、１次係止位置にある前記端子（１０）の所定箇所を前方へ押圧して前記端子（１０）を正規挿入位置まで移動可能な突起部（３４）が設けられている、コネクタ（１）。
［２］
上記［１］に記載のコネクタ（１）において、
前記カバー（３０）は、
前記カバー（３０）の後方側が前方側より前記ハウジング（２０）から離れる向きに傾斜した状態を維持しながら、前記カバー（３０）の前端縁が前記天壁部（２３）の後端縁の下側に進入するまで、前記突起部（３４）の押圧によって前記端子（１０）を前方へ移動させながら前記カバー（３０）を前記ハウジング（２０）に対して前方側へ移動させた後、前記カバー（３０）の後方側を前記ハウジング（２０）に近づけることによって、前記ハウジング（２０）に組み付けられるように構成された、コネクタ（１）。
［３］
上記［１］又は上記［２］に記載のコネクタ（１）において、
前記カバー（３０）は、
前記端子（１０）が１次係止位置にある状態では、前記突起部（３４）が前記端子（１０）と干渉することによって、前記カバー（３０）の前方側が後方側より前記ハウジング（２０）から離れる向きに傾斜した状態で、前記ハウジング（２０）に組み付け可能に構成された、コネクタ（１）。
【符号の説明】
【００５４】
１      コネクタ
１０    端子
２０    ハウジング
２３    天壁部
３０    カバー
３４    突起部
Ｗ      電線
【図１】
2020071956.tif 000003
【図２】
2020071956.tif 000004
【図３】
2020071956.tif 000005
【図４】
2020071956.tif 000006
【図５】
2020071956.tif 000007
【図６】
2020071956.tif 000008
【図７】
2020071956.tif 000009
【図８】
2020071956.tif 000010
【図９】
2020071956.tif 000011
【図１０】
2020071956.tif 000012
【図１１】
2020071956.tif 000013
【図１２】
2020071956.tif 000014
【図１３】
2020071956.tif 000015
【図１４】
2020071956.tif 000016
【図１５】
2020071956.tif 000017
【図１６】
2020071956.tif 000018
【図１７】
2020071956.tif 000019
【図１８】
2020071956.tif 000020
【図１９】
2020071956.tif 000021
【図２０】
2020071956.tif 000022
【図２１】
2020071956.tif 000023
【図２２】
2020071956.tif 000024
【図２３】
2020071956.tif 000025
【図２４】
2020071956.tif 000026
【図２５】
2020071956.tif 000027
【図２６】
2020071956.tif 000028
【図２７】
2020071956.tif 000029
【図２８】
2020071956.tif 000030
【図２９】
2020071956.tif 000031
【図３０】
2020071956.tif 000032
【図３１】
2020071956.tif 000033
【図３２】
2020071956.tif 000034
【図３３】
2020071956.tif 000035
【図３４】
2020071956.tif 000036
【図３５】
2020071956.tif 000037
【図３６】
2020071956.tif 000038
【図３７】
2020071956.tif 000039
【図３８】
2020071956.tif 000040